(57)【要約】【課題】地震や建物火災の際などの緊急避難時に使用する避難機器を提供する。【解決手段】ボックス２０に回転車１０を収納して、そのボックス２０に建物の軒先３０に懸垂されて地上面に向けて垂下されたロープ５０中途部を上下方向に移動可能に挿通する。ロープ５０は、ロープ圧接手段６０により、回転車１０に圧接させる。そして、ハンドル７０を回転操作して回転車１０をロープ５０に沿って回転移動させ、避難者支持帯９０に腰掛けた避難者を、ボックス２０と共に、ロープ５０を伝って、建物外部の地上面へと降下させる。避難者を地上面に降して軽量となったボックス２０は、サブロープ他端１５０ｂに付設された重り１７０に加わる重力を利用して、サブロープ１５０中途部がサブ支持手段１６０を介して支持された建物の軒先３０方向に上昇復帰させる。そして、そのボックス２０が備えられた避難機器を、次の避難者が地上面へと降りる避難機器に再利用する。【選択図】図１
2008119164.tif 000002
【特許請求の範囲】
【請求項１】
回転車が回転自在に収納されたボックスと、建物の避難側壁外方に突出する軒先に懸垂されて建物外部の地上面に向けて垂下されたロープであって、その中途部が前記回転車近くを通ってボックスの内外を上下方向に移動可能なようにボックスに挿通されて、その下端が地上面又はその近くに達するロープと、その回転車近くを通るロープを回転車に圧接させるロープ圧接手段と、前記ボックスに延設された避難者が回転操作するハンドルと、該ハンドルを回転操作することにより、前記ボックス内の回転車を回転させる回転操作手段と、前記ボックスとロープ圧接手段とに亙って取着された避難者支持帯と、前記ボックスを建物の軒先下方の建物の避難口近くに解放可能に支持する支持手段と、前記ボックスを前記建物の軒先下方の建物の避難口近くまで持ち上げるサブロープであって、その一端がボックスに固定され、その中途部がサブ支持手段を介して建物の軒先に前後に摺動可能に支持され、その他端が建物外部の地上面に向けて垂下されたサブロープと、そのサブロープの他端に付設された重りとからなり、
前記ロープ圧接手段が、前記避難者支持帯に避難者の体重が加わった状態においては、ロープ押圧部が前記回転車近くを通るロープ外側を回転車方向に押して、ロープが回転車にスリップせぬように圧接され、前記避難者支持帯に避難者の体重が加わらない状態においては、ロープ押圧部が回転車から遠ざかって、ロープ押圧部と回転車との間に生じた隙間をロープが移動する構造に形成され、
前記サブロープの一端から他端までの長さが、前記ボックスを支持手段により建物の避難口近くに解放可能に支持した状態において、その中途部が建物の軒先にサブ支持手段を介して摺動可能に支持されて地上面に向けて垂下されたサブロープの他端に付設された重りが建物外部の地上面に降下した状態となるように設定され、
前記重りの重さが、前記避難者支持帯から避難者を地上面に降ろして軽量となったボックスであって、サブロープの一端に固定されたボックスが、その付属品と共に、サブロープの他端に付設された重りに加わる重力を受けて、サブロープにより、サブロープ中途部がサブ支持手段を介して支持された建物の軒先方向に引き上げられるように設定されたことを特徴とする避難機器。
【請求項２】
前記回転操作手段が、２個の傘歯車を介して、前記回転車の回転軸が、回転車が収納されたボックスの一方の側部外方に延設されたハンドルの回転軸に連結されたものであることを特徴とする請求項１記載の避難機器。
【請求項３】
前記ロープの他端に、前記建物の軒先に懸垂されて地上面に向けて垂下されたロープを地上面方向に引っ張って緊張させた状態とする補助重りが取着されたことを特徴とする請求項１記載の避難機器。
【請求項４】
前記ロープ圧接手段が、揺動アーム中途部が回転車近くのボックス内側に回転自在に支持されて、その揺動アーム内端にロープ押圧部が支持され、その揺動アーム内端に支持されたロープ押圧部を回転車から遠ざける方向に揺動アームを回転させる付勢力を揺動アームに付与する付勢手段が設けられて、その避難者支持帯が取着された揺動アーム外端がボックスに開口された長穴を貫いてボックス外方に回動可能に突出した構造をしていて、そのボックス外方に突出した揺動アーム外端に、避難者が手で掴む取手が備えられたことを特徴とする請求項１記載の避難機器。
【請求項５】
前記ロープ押圧部が、揺動アーム内端に回転自在に支持された回転ローラであることを特徴とする請求項４記載の避難機器。
【請求項６】
前記ロープ押圧部が、揺動アーム内端に支持された弾性ブロックであることを特徴とする請求項４記載の避難機器。
【請求項７】
前記サブ支持手段が、前記建物の軒先に配設された、サブロープ中途部が前後に摺動可能に挿通されたサブガイド筒であることを特徴とする請求項１記載の避難機器。
【請求項８】
建物の避難側壁の上下方向にガイド筒が配設されて、そのガイド筒内側に前記サブロープの他端に付設された重りがサブロープと共に昇降可能に収容されたことを特徴とする請求項１、２、３、４、５、６又は７記載の避難機器。
【請求項９】
前記ボックスを前記建物の軒先下方の建物の避難口近くまで引き上げる補助ロープであって、その一端がボックスに固定され、その中途部が補助ロープ支持手段を介して建物の軒先に前後に摺動可能に支持され、その他端が建物外部の地上面に向けて垂下された補助ロープが備えられて、
その補助ロープの一端から他端までの長さが、前記ボックスをロープに沿って地上面又はその近くまで降下させた状態において、その中途部が建物の軒先に補助ロープ支持手段を介して支持されて地上面に向けて垂下された補助ロープの他端が建物外部の地上面又はその近くに位置した状態となるように設定されたことを特徴とする請求項１、２、３、４、５、６、７又は８記載の避難機器。
【発明の詳細な説明】
【技術分野】
【０００１】
本発明は、建物の避難側壁外部に設置して、地震や建物火災の際などに使用する、緊急避難用の避難機器に関する。
【背景技術】
【０００２】
建物の避難側壁外方に突出する軒先などに垂下されたロープを伝って建物の避難口から建物外部の地上面へと避難者を避難させる緊急避難用の避難機器として、特開２００５−１６９０５５公報記載の避難装置や、実開平５−９１７０５号公報記載の避難者の自重を利用して避難者を地上面へと降下させる避難器具などが開発されている。
【特許文献１】特開２００５−１６９０５５号公報
【特許文献２】実開平５−９１７０５号公報
【発明の開示】
【発明が解決しようとする課題】
【０００３】
しかしながら、前者の避難装置は、建物の避難側壁外部に垂下された１本のロープの中途部に取着された輪状のベルトに避難者の身体胴部を巻き付ける等して、その１本のロープを支えに避難者がロープを伝って建物の避難側壁外部の地上面に降下するものであって、その避難者の身体胴部を支持するベルトを１本のロープに沿って地上面へと降下させるベルト降下手段が、歯車機構を用いた複雑な構造をしていて、そのベルト降下手段が緊急避難時に避難者が誤りなく容易に操作できる構造をしてない。そのため、心が不安定で動揺した状態にある避難者が、そのベルト降下手段を誤りなく操作して、１本のロープを伝って安全かつ迅速に建物外部の地上面に避難できるか否かは、はなはだ疑問である。
【０００４】
後者の避難器具も、建物の避難側壁外部に垂下された１本のロープの中途部に吊り下げた避難者の身体を、避難者の自重を利用して１本のロープに沿って地上面へと降下させる降下機構に、複雑な油圧調整機構が用いられていて、緊急避難時に、避難者が、その油圧調整機構を誤りなく容易に操作できる構造をしてない。そのため、後者の避難器具においても、心が不安定で動揺した状態にある避難者が、その油圧調整機構を誤りなく的確に操作して、１本のロープを伝って安全かつ迅速に建物外部の地上面に避難できるか否かは、はなはだ疑問である。
【０００５】
本発明は、このような課題に鑑みてなされたもので、地震や建物火災の際などの緊急時に、避難者が、誤りなく容易かつ的確に操作できる避難機器であって、心が不安定で動揺した状態にある避難者が、誤りなく容易に操作して、安全かつ迅速に建物外部の地上面へと避難できる、簡便な避難機器を提供することを目的としている。
【課題を解決するための手段】
【０００６】
このような目的を達成するために、本発明の避難機器は、回転車が回転自在に収納されたボックスと、建物の避難側壁外方に突出する軒先に懸垂されて建物外部の地上面に向けて垂下されたロープであって、その中途部が前記回転車近くを通ってボックスの内外を上下方向に移動可能なようにボックスに挿通されて、その下端が地上面又はその近くに達するロープと、その回転車近くを通るロープを回転車にスリップせぬように圧接させるロープ圧接手段と、ボックスに延設された避難者が回転操作するハンドルと、該ハンドルを回転操作することにより、ボックス内の回転車を回転させる回転操作手段と、ボックスとロープ圧接手段とに亙って取着された避難者支持帯と、ボックスを建物の軒先下方の建物の避難口近くに解放可能に支持する支持手段と、ボックスを建物の軒先下方の建物の避難口近くまで持ち上げるサブロープであって、その一端がボックスに固定され、その中途部がサブ支持手段を介して建物の軒先に前後に摺動可能に支持され、その他端が建物外部の地上面に向けて垂下されたサブロープと、そのサブロープの他端に付設された重りとからなっている。
ロープ圧接手段は、避難者支持帯に避難者の体重が加わった状態においては、ロープ押圧部が回転車近くを通るロープ外側を回転車方向に押して、ロープが回転車にスリップせぬように圧接され、前記避難者支持帯に避難者の体重が加わらない状態においては、ロープ押圧部が回転車から遠ざかって、ロープ押圧部と回転車との間に生じた隙間をロープが移動する構造に形成されている。
【０００７】
このような構成の避難機器においては、避難者は、建物の避難口近くに支持手段により支持されたボックスとロープ圧接手段とに亙って取着された避難者支持帯に腰掛ける等して、自己の身体をボックスに支持させた状態とすることができる。そして、避難者支持帯に避難者の体重を加えて、ロープ圧接手段のロープ押圧部により回転車近くを通るロープ外側を回転車方向に押し、ロープを回転車にスリップせぬように圧接させた状態とすることができる。
それに前後して、支持手段からボックスを解放させて、そのボックスを建物の避難側壁に沿って降下させることが可能な状態とすることができる。
次いで、そのボックスに自己の身体を支持させた避難者は、ボックスに延設されたハンドルを回転操作することにより、回転操作手段を用いて、ボックスに収納された回転車を所定方向に回転させることができる。そして、避難者は、建物の避難側壁外方に突出する軒先に懸垂されて建物外部の地上面に向けて垂下されたロープであって、その中途部がボックスに挿通されて、その下端が地上面又はその近くに達するロープに沿って、回転車を回転移動させながら、回転車が収納されたボックスを、該ボックスに支持させた自己の身体と共に、建物の避難側壁に沿って、その下方の地上面へと降下させることができる。
【０００８】
その際には、避難者支持帯に腰掛ける等した避難者に加わる重力を利用して、ロープ圧接手段により、ロープを回転車に確実に圧接させて、回転車がロープに対してスリップするのを防ぐことができる。そして、避難者は、回転車を、ロープに対してスリップさせずに、ロープに沿って回転移動させながら、回転車が収納されたボックスを、自己の身体と共に、ロープを伝って、ロープが垂下された建物外部の地上面へと安全に降下させることができる。
その際には、避難者支持帯に腰掛ける等した避難者が体重の軽い小児等の場合は、ロープ圧接手段のロープ押圧部がロープ外側を弱い力で回転車方向に押すことになる。逆に、避難者支持帯に腰掛ける等した避難者が体重の重い大人等の場合は、ロープ圧接手段のロープ押圧部がロープ外側を強い力で回転車方向に押すことになる。換言すれば、避難者支持帯に腰掛ける等した避難者の体重の軽重に応じて、ロープ圧接手段によりロープが回転車に適度な強弱の力で圧接されることになる。そのため、避難者支持帯に腰掛ける等した避難者の体重の軽重に拘わりなく、ロープが回転車に対してスリップするのを確実に防ぐことができる。また、ロープ圧接手段によりロープが回転車に過度に強く圧接された状態となって、避難者支持帯に腰掛ける等した避難者が回転車を回転させにくくなり、回転車を回転させるハンドルの回転操作が困難となるのを防ぐことができる。
【０００９】
ハンドルを回転操作して回転車を回転させた際には、回転車がロープに転がり接触し続けることになる。そのために、ロープと回転車との間に大きな摩擦力が働いて、その回転車やロープが早期に摩耗したり傷付いたりするのを防ぐことができる。
ボックスに取着された避難者支持帯に腰掛ける等した避難者は、ボックスに延設されたハンドルを適度な速度で回転操作することにより、ボックスと共に、ロープを伝って、地上面へと、適度な安全速度で遅滞なく降下できる。
【００１０】
本発明の避難機器においては、サブロープの一端から他端までの長さが、ボックスを支持手段により建物の軒先下方の建物の避難口近くに解放可能に支持した状態において、その中途部が建物の軒先にサブ支持手段を介して前後に摺動可能に支持されて地上面に向けて垂下されたサブロープの他端に付設された重りが建物外部の地上面に降下した状態となるように設定されている。
重りの重さは、避難者支持帯から避難者が地上面に降りて軽量となったボックスであって、サブロープの一端に固定されたボックスが、その付属品と共に、サブロープの他端に付設された重りに加わる重力を受けて、サブロープにより、サブロープ中途部がサブ支持手段を介して支持された建物の軒先方向に引き上げられるように設定されている。
従って、上記のようにして、避難者が、ボックスとロープ圧接手段とに亙って取着された避難者支持帯に腰掛ける等して、ボックスと共に、ロープを伝って、建物外部の地上面へと降下して、地上面に降りた後には、その避難者支持帯から避難者が地上面に降りて軽量となったボックスであって、サブロープの一端に固定されたボックスが、サブロープの他端に付設された重りの重力を受けて、サブロープにより、サブロープ中途部がサブ支持手段を介して前後に摺動可能に支持された建物の軒先方向に引き上げられる。
その際には、避難者支持帯から避難者が地上面に降りて、避難者支持帯に避難者の体重が加わらない状態となるため、ロープ圧接手段のロープ押圧部が回転車から遠ざかって、ロープ押圧部と回転車との間に隙間が生ずる。そして、その隙間をロープが上下方向に移動自在な状態となる。そして、回転車が収納されたボックスが、建物の軒先に懸垂されて地上面に向けて垂下されたロープに沿って、ロープからの抵抗を受けずに、建物の軒先方向に円滑に引き上げられる。
それと同時に、そのサブロープ他端に付設された重りが、建物外部の地上面方向に降下する。そして、その重りが、地上面に降下して接地した状態になると共に、サブロープの一端に固定されたボックスが、サブロープにより、建物の軒先下方の建物の避難口近くまで引き上げられて停止した状態となる。
その結果、その建物の避難口近くまで引き上げられて停止した状態となったボックスを、支持手段により、再び建物の避難口近くに解放可能に支持し直すことができる。そして、その避難者支持帯が取着されたボックスを、上記と同様にして、建物内に残る次の避難者を建物外部の地上面へと避難させるための、避難機器として、繰り返し再利用できる。
【００１１】
本発明の避難機器において、回転操作手段は、２個の傘歯車を介して、回転車の回転軸が、回転車が収納されたボックスに延設されたハンドルの回転軸に連結された構造のものとすると良い。
そして、避難者がハンドルを回転操作することにより、そのハンドルの回転力を、２個の傘歯車を介して、回転車に伝えることができるようにすると良い。
また、ハンドルは、回転車の回転軸と同じボックスの前後方向に延設されずに、ボックスの一方の側部外方に延設された構造とすると良い。そして、そのボックスの一方の側部外方に延設されたハンドルを、建物の避難側壁方向を向いた状態でボックスに取着された避難者支持帯に腰掛ける等した避難者が、不自然な姿勢を取らずに、容易かつ的確に回転操作できるようにすると良い。
【００１２】
本発明の避難機器においては、ロープの他端に、建物の軒先に懸垂されて地上面に向けて垂下されたロープを地上面方向に引っ張って緊張させた状態とする補助重りが取着された構造とすると良い。
そして、その補助重りに加わる重力を受けて、建物の軒先に懸垂されて地上面に向けて垂下されたロープが地上面方向に引っ張られて緊張した状態となるようにすると良い。そして、その弛みなく緊張した状態となったロープに沿って回転車を抵抗少なく円滑に回転移動させながら、その回転車が収納されたボックスを地上面へと支障なく円滑に降下させることができるようにすると良い。
【００１３】
本発明の避難機器において、サブ支持手段は、建物の軒先に配設された、サブロープ中途部が前後に摺動可能に挿通されたサブガイド筒とすると良い。
そして、その建物の軒先にサブガイド筒を介して支持されたサブロープ中途部をサブガイド筒内側で前後に摺動させることができるようにすると良い。
【００１４】
本発明の避難機器において、ロープ圧接手段は、揺動アーム中途部が回転車近くのボックス内側に回転自在に支持されて、その揺動アーム内端にロープ押圧部が支持され、その揺動アーム内端に支持されたロープ押圧部を回転車から遠ざける方向に揺動アームを回転させる付勢力を揺動アームに付与する付勢手段が設けられて、その避難者支持帯が取着された揺動アーム外端がボックスに開口された長穴を貫いてボックス外方に回動可能に突出した構造とすると良い。ボックス外方に突出した揺動アーム外端には、避難者が手で掴む取手が備えられた構造とすると良い。
そして、避難者がボックスとロープ圧接手段とに亙って取着された避難者支持帯に腰掛ける際や、その避難者支持帯に腰掛けた避難者が、ハンドルを回転操作する際などに、その揺動アーム外端に備えられた取手を手で掴んで、自己の身体をボックスに支持できるようにすると良い。そして、避難者が、安定した姿勢で、避難者支持帯に腰掛けて、ハンドルを回転操作できるようにすると良い。それと共に、避難者がその取手を掴んだ手で揺動アーム外端を下方に押し下げられるようにすると良い。そして、揺動アーム外端を下方に回動させて、その揺動アーム内端に支持されたロープ押圧部でロープ外側を回転車方向に確実に強く押せるようにすると良い。そして、ロープが回転車に対してスリップするのを、確実に防げるようにすると良い。
【００１５】
ロープ押圧部は、揺動アーム内端に回転自在に支持された回転ローラとするか、又は、揺動アーム内端に支持された弾性ブロックとすると良い。
ロープ押圧部が回転ローラの場合には、その回転ローラによりロープ外側を回転車方向に押して、ロープを回転車に圧接させた状態で、回転車をロープに沿って回転移動させた際に、回転ローラをロープに沿って転がり接触させ続けることができる。そして、回転ローラとロープとの間に大きな摩擦力が働くのを防いで、その回転ローラやロープが早期に摩耗したり傷付いたりするのを防ぐことができる。
【００１６】
本発明の避難機器においては、建物の避難側壁の上下方向にガイド筒が配設されて、そのガイド筒内側にサブロープの他端に付設された重りがサブロープと共に昇降可能に収容された構造とすると良い。
そして、建物の避難側壁に沿ってサブロープと共に昇降させる重りを、ガイド筒内側に隠すようにすると良い。そして、その重りやサブロープが、建物の避難側壁に露出した状態となって、建物の体裁が、損なわれるのを、防ぐと良い。また、その中途部が建物の軒先にサブ支持手段を介して支持されて地上面に向けて垂下されたサブロープの他端に付設された重りが、風圧などの影響を受けて、建物外部でサブロープと共に左右に揺れる等するのを、ガイド筒の側壁で防ぐと良い。そして、その重りが、建物近くを通る通行人などに突き当たる等して、その通行人などが負傷するのを、防ぐと良い。
【００１７】
本発明の避難機器においては、ボックスを建物の軒先下方の建物の避難口近くまで引き上げる補助ロープであって、その一端がボックスに固定され、その中途部が補助ロープ支持手段を介して建物の軒先に前後に摺動可能に支持され、その他端が建物外部の地上面に向けて垂下された補助ロープが備えられた構造とすると良い。
補助ロープの一端から他端までの長さは、ボックスをロープに沿って建物外部の地上面又はその近くまで降下させた状態において、その中途部が建物の軒先に補助ロープ支持手段を介して前後に摺動可能に支持されて地上面に向けて垂下された補助ロープの他端が、建物外部の地上面又はその近くに位置した状態となるように設定された構造とすると良い。
【００１８】
そうした場合には、その中途部が建物の軒先にサブ支持手段を介して支持されたサブロープやそのサブロープの他端に付設された重りが、建物の避難側壁に存在する様々の障害物に引っ掛かる等してしまい、そのサブロープの他端に付設された重りに加わる重力を受けて、避難者支持帯から避難者が地上面に降りて軽量となったボックスが、そのボックスに一端が固定されたサブロープにより、建物の軒先方向に引き上げられない状態に陥った際に、その建物外部の地上面又はその近くに位置する補助ロープの他端を地上面に居る避難者救助者が地上面方向に引き下ろして、避難者支持帯から避難者が降りて軽量となったボックスを、そのボックスに一端が固定された補助ロープであって、その中途部が補助ロープ支持手段を介して建物の軒先に前後に摺動可能に支持された補助ロープにより、建物の軒先下方の建物の避難口近くまで引き上げることができる。
そして、その補助ロープにより建物の避難口近くまで引き上げたボックスを支持手段に再び支持し直して、そのボックスに取着された避難者支持帯に次の避難者が腰掛ける等できる。そして、そのボックスが備えられた避難機器を、次の避難者が建物外部の地上面へと避難する避難機器に繰り返し再利用できる。
【発明の効果】
【００１９】
以上説明したように、本発明の避難機器によれば、地震や建物火災の際などの緊急時に、避難者は、ボックスに取着された避難者支持帯に腰掛ける等した状態で、ボックスに延設されたハンドルを回転操作するだけで、建物の避難側壁に沿ってロープを伝って建物外部の地上面へと避難できる。そのため、避難者が心が不安定で動揺した状態にあっても、その避難者が、本発明の避難機器を、常に誤りなく操作して、安全かつ迅速に建物外部の地上面へと避難できる。
また、本発明の避難機器によれば、避難者が建物の避難側壁に沿ってロープを伝って建物外部の地上面へと避難した後に、避難者支持帯から避難者が地上面に降りて軽量となったボックスを、建物の軒先下方の建物の避難口近くに人手を掛けずに再び上昇復帰させることができる。そして、そのボックスが備えられた避難機器を、建物の避難口から建物外部の地上面へと避難する次の避難者の避難機器に繰り返し再利用できる。
【発明を実施するための最良の形態】
【００２０】
図１ないし図７は本発明の避難機器の好適な実施の形態を示している。以下に、この避難機器を説明する。
【００２１】
この避難機器は、図１〜図５に示したように、回転車１０が回転自在に収納されたボックス２０と、建物の避難側壁外方に突出する軒先３０に懸垂されて建物外部の地上面１００に向けて垂下されたロープ５０であって、その中途部が回転車１０近くを通ってボックス２０の内外を上下方向に移動可能なようにボックス２０に挿通されて、その下端が地上面１００又はその近くに達するロープ５０と、その回転車１０近くを通るロープ５０を回転車１０に圧接させるロープ圧接手段６０と、ボックス２０に延設された避難者が回転操作するハンドル７０と、そのハンドル７０を回転操作することにより、ボックス２０内の回転車１０を回転させる回転操作手段８０と、ボックス２０とロープ圧接手段６０とに亙って取着された、避難者が腰掛ける等する避難者支持帯９０と、ボックス２０を建物の軒先３０下方の建物の避難口近くに解放可能に支持する支持手段１１０と、ボックス２０を建物の軒先３０下方の建物の避難口近くまで持ち上げるサブロープ１５０であって、その一端１５０ａがボックス２０に固定され、その中途部がサブ支持手段１６０を介して建物の軒先３０に前後に摺動可能に支持され、その他端１５０ｂが建物外部の地上面１００に向けて垂下されたサブロープ１５０と、そのサブロープの他端１５０ｂに付設された重り１７０とからなっている。
【００２２】
ロープ５０は、ボックス２０の上部側壁と下部側壁とに開口された遊挿穴を通して、ボックス２０の内外に亙って上下方向に移動可能なように挿通されている。
【００２３】
ロープ圧接手段６０は、図２と図５に示したように、避難者が避難者支持帯９０に腰掛ける等して、避難者支持帯９０に避難者の体重が加わった状態においては、ロープ押圧部６２が回転車1０近くを通るロープ５０外側を回転車１０方向に押して、ロープ５０が回転車１０にスリップせぬように圧接されるように構成されている。また、避難者が避難者支持帯９０から地上面に降りる等して、避難者支持帯９０に避難者の体重が加わらない状態においては、ロープ押圧部６２が回転車１０から遠ざかって、回転ローラ６３と回転車１０との間に生じた隙間６８をロープ５０が抵抗を受けずに自在に移動するように構成されている。
具体的には、揺動アーム６４中途部が回転車１０近くのボックス２０内側に回転自在に支持されて、その揺動アーム６４内端に、ロープ押圧部６２を構成する回転ローラ６３が回転自在に支持されている。揺動アーム６４の後端は、ボックス２０側壁に開口された長穴２２を貫いてボックス２０外方に回動可能に突出している。そして、そのボックス２０側壁を貫いてボックス２０の内外に亙って配置された揺動アーム６４が、上下方向に正逆に回動可能なように構成されている。揺動アーム６４内端とボックス２０側壁とに亙っては、付勢手段を構成する引っ張りコイルバネ６６が張設されている。そして、図２に示したように、その張りコイルバネ６６の引っ張り力を受けて、揺動アーム６４が正回転して、揺動アーム６４内端に支持された回転ローラ６３が回転車１０から遠ざかる方向に移動するように構成されている。そして、回転ローラ６３と回転車１０との間に隙間６８が生ずるように構成されている。ボックス２０外方に突出した揺動アーム６４後端には、避難者支持帯９０の一端が取着されている。そして、避難者支持帯９０に避難者が腰掛ける等して、その避難者支持帯９０に避難者の体重が加わった状態においては、図５に示したように、引っ張りコイルバネ６６の引っ張り力に抗して、揺動アーム６４が逆回転し、その揺動アーム６４内端に支持された回転ローラ６３が回転車１０にその斜め下側から接近するように構成されている。そして、回転ローラ６３がロープ５０外側を回転車１０方向に押すように構成されている。
このロープ圧接手段６０においては、図８に示したように、揺動アーム６４内端に、回転ローラ６３に代えて、弾性ブロック６１が回転自在に支持された構造としても良い。弾性ブロック６１は、その内端面にゴム材が貼着された構造とすると良い。そして、その弾性ブロック６１によりロープ５０外側を回転車１０方向に押すようにしても良い。
【００２４】
また、ロープ圧接手段６０を、上記のように構成することにより、避難者が体重の軽い小児等の場合は、ロープ押圧部６２によりロープ５０が回転車１０に弱い力で圧接されるようにしている。逆に、避難者が体重の重い大人等の場合は、ロープ押圧部６２によりロープ５０が回転車１０に強い力で圧接されるようにしている。そして、避難者の体重の軽重に応じて、ロープ５０が回転車１０に適度な強弱の力で圧接されるようにしている。そして、避難者の体重の軽重に拘わりなく、ロープ５０が回転車１０に対してスリップするのを確実に防げるようにしている。また、ロープ押圧部６２によりロープ５０が回転車に過度に強く圧接された状態となって、避難者が回転車１０を回転させにくくなり、回転車１０を回転させるハンドル７０の回転操作が困難となるのを防げるようにしている。
【００２５】
回転操作手段８０は、図４に示したように、２個の傘歯車８０ａ、８０ｂを介して、回転車の回転軸１０ａがハンドルの回転軸７０ａに連結された構造をしている。
そして、ハンドル７０を回転操作することにより、ハンドル７０の回転力を、２個の傘歯車８０ａ、８０ｂを介して、ハンドル７０を回転させる方向に対してほぼ直角な方向に回転させる回転車１０に伝えられるようにしている。
ハンドル７０は、回転車の回転軸１０ａと同じボックス２０の前後方向に延設されずに、ボックス２０の一方の側部外方に延設されている。そして、そのハンドル７０を、ボックス２０とロープ圧接手段６０とに亙って取着された避難者支持帯９０に腰掛ける等した避難者が、容易かつ的確に回転操作できる構造をしている。
傘歯車８０ａ、８０ｂ周囲は、避難者の安全を図る目的で、安全カバー８０ｃにより覆われている。
【００２６】
避難者支持帯９０は、図１と図４に示したように、ハンモック状をしていて、その一端がボックス２０の一方の側壁に取着され、その他端がボックス２０外方に突出した揺動アーム６４後端に取着されている。避難者支持帯９０の内側辺中途部は、バンド９２を介して、ボックス２０の裏側壁に固定されている。そして、そのバンド９２を跨いで、避難者が、ハンモック状をした避難者支持帯９０に安定した姿勢で腰掛ける等できるようにしている。
なお、避難者支持帯９０は、避難者の身体に巻き付けて、避難者がボックス２０に支持されるバンド構造とすることも、可能である。
【００２７】
支持手段１１０は、図２と図５に示したように、建物の軒先３０から懸垂されたフック１１２を、ボックス２０裏側壁上端に付設された止め金具の穴１１４に引掛けることにより、ボックス２０が建物の軒先３０下方の建物の避難口近くに解放可能に支持される構造をしている。
【００２８】
ボックス２０を建物の軒先３０下方の建物の避難口近くまで持ち上げるサブロープ１５０の一端１５０ａは、図２と図３に示したように、ボックス２０の上側壁に固定されている。サブロープ１５０の中途部は、サブ支持手段１６０を介して、建物の軒先３０に前後に摺動可能に支持されている。サブロープの他端１５０ｂは、建物外部の地上面１００に向けて垂下されている。
サブ支持手段１６０は、ほぼ逆Ｕ字状に折曲されたサブガイド筒から形成されていて、そのサブガイド筒が、建物の軒先３０下面に沿って取着されている。
サブロープの一端１５０ａから他端１５０ｂまでの長さは、図６に示したように、ボックス２０を建物の軒先３０下方の建物の避難口近くに支持手段１１０により解放可能に支持した状態において、その中途部が建物の軒先３０にサブ支持手段１６０を介して支持されて地上面１００に向けて垂下されたサブロープの他端１５０ｂに付設された重り１７０が、建物外部の地上面１００に降下した状態となるように設定されている。
サブロープの他端１５０ｂに付設された重り１７０の重さは、避難者支持帯９０から避難者が地上面１００に降りて軽量となったボックス２０であって、サブロープの一端１５０ａに固定されたボックス１０が、その付属品の避難者支持帯９０等と共に、サブロープの他端１５０ｂに付設された重り１７０に加わる重力を受けて、サブロープ１５０により、サブロープ１５０中途部がサブ支持手段１６０を介して支持された建物の軒先３０方向に引き上げられるように設定されている。
【００２９】
図１ないし図７に示した避難機器は、以上のように構成されていて、この避難機器を用いて、避難者が建物の避難口から建物外部の地上面へと避難する際には、図２に示したように、ボックス２０を、支持手段１１０により、建物の軒先３０下方の建物の避難口近くに予め支持した状態としておく。そして、その避難口近くに支持されたボックス２０とロープ圧接手段６０とに亙って取着された避難者支持帯９０に、図１に示したように、避難者が腰掛ける等して、避難者の身体をボックス２０に支持させた状態とする。そして、図５に示したように、その避難者支持帯９０に腰掛ける等した避難者の体重を避難者支持帯９０に加えて、揺動アーム６４を、引っ張りコイルバネ６６の引っ張り力に抗して、逆回転させ、揺動アーム６４内端に支持されたロープ押圧部６２を回転車１０方向に接近させる。そして、そのロープ押圧部６２により回転車１０近くを通るロープ５０外側を回転車１０方向に押して、ロープ５０を回転車１０に圧接させた状態とする。
それに前後して、支持手段１１０を解放させる。具体的には、建物の軒先３０に懸垂されたフック１１２を、ボックス２０上端側壁に付設された止め金具の穴１１４から離脱させる。そして、ボックス２０をロープ５０に沿って降下可能な状態とする。
次いで、そのボックス２０に自己の身体を支持させた避難者により、ボックス２０に延設されたハンドル７０を、図１に示した矢印方向に回転操作させて、そのハンドルの回転軸７０ａに回転操作手段８０を介して連結された回転車１０を、図５に示した矢印方向に回転させる。そして、その避難者の身体を支持させたボックス２０を、避難者と共に、建物の避難側壁外方に突出する軒先３０に懸垂されて地上面１００に向けて垂下されたロープ５０に沿って、回転車１０を回転移動させながら、建物の避難側壁下方の地上面１００へと降下させる。
その際には、ロープ圧接手段のロープ押圧部６２を、ロープ圧接手段の揺動アーム６４外端に加わる避難者の体重に応じた適度な押圧力で、ロープ５０外側に押し付けて、そのロープ５０を回転車１０に適度な押圧力で圧接させた状態とする。そして、ロープ５０が回転車１０に対してスリップするのを防ぐ。
すると、図１に示したように、避難者支持帯９０に腰掛ける等した避難者は、ボックス２０と共に、ロープ５０を伝って、建物の避難側壁下方の地上面１００へと安全に降下できる。
その際には、ボックス２０に取着された避難者支持帯９０に腰掛ける等した避難者は、ボックス２０に延設されたハンドル７０を回転操作するだけで、ロープ５０を伝って、ボックス２０と共に、建物の避難側壁に沿って、地上面１００へと、安全かつ迅速に降下できる。
【００３０】
この避難機器においては、前述のように、サブロープ１５０の一端から他端までの長さが、ボックス２０を建物の軒先３０下方の建物の避難口近くに支持手段１１０により解放可能に支持した状態において、その中途部が建物の軒先３０にサブ支持手段１６０を介して支持されて地上面１００に向けて垂下されたサブロープの他端１５０ｂに付設された重り１７０が、建物外部の地上面１００に降下した状態となるように設定されている。
サブロープの他端１５０ｂに付設された重り１７０の重さは、避難者支持帯９０から避難者が地上面１００に降りて軽量となったボックス２０であって、サブロープの一端１５０ａに固定されたボックス１０が、その付属品の避難者支持帯９０等と共に、サブロープの他端１５０ｂに付設された重り１７０に加わる重力を受けて、サブロープ１５０により、サブロープ１５０中途部がサブ支持手段１６０を介して支持された建物の軒先３０方向に引き上げられるように設定されている。
従って、上記のようにして、避難者が、ボックス２０とロープ圧接手段６０とに亙って取着された避難者支持帯９０に腰掛ける等して、ボックス２０と共に、ロープ５０を伝って地上面１００へと降下し、地上面１００に降りた際には、図７に示したように、その中途部が建物の軒先３０にサブ支持手段１６０を介して支持されて地上面１００に向けて垂下されたロープの他端１５０ｂに付設された重り１７０が、建物の軒先３０下方の建物の軒先３０下方の建物の避難口近くまで上昇した状態となる。
そのため、その建物の避難口近くまで上昇した状態となったサブロープの他端１５０ｂに付設された重り１７０に加わる重力を受けて、そのサブロープの一端５０ａに固定されたボックス２０であって、避難者支持帯９０から避難者が地上面１００へと降りて軽量となったボックス２０が、その付属品の避難者支持帯９０等と共に、サブロープ１５０により、サブロープ１５０中途部がサブ支持手段１６０を介して支持された建物の軒先３０下方の窓、ベランダ、バルコニー等の建物の避難口近くまで引き上げられる。それと同時に、そのサブロープの他端１５０ｂに付設された重り１７０が建物外部の地上面１００方向に降下して、その重り１７０が地上面１００に接地した状態となる。そして、サブロープの一端１５０ａに固定されたボックス２０が、建物の避難口近くまで引き上げられて停止した状態となる。
その結果、そのサブロープ１５０により建物の避難口近くまで引き上げられて停止した状態となったボックス２０を支持手段１１０により建物の避難口近くに再び解放可能に支持させた状態とすることができる。そして、そのボックス２０が備えられた避難機器を、上記と同様にして、建物内に残る次の避難者を建物外部の地上面１００へと避難させる避難機器として、繰り返し再利用できる。
【００３１】
この避難機器においては、図６と図７に示したように、ロープの他端５０ｂに、建物の軒先３０から懸垂されて地上面１００に向けて垂下されたロープ５０を地上面１００方向に引っ張って緊張させた状態とする補助重り１２０を取着すると良い。
そして、その補助重り１２０により、弛みなく緊張させた状態に保持されたロープ５０に沿って回転車１０を回転移動させながら、その回転車１０が収納されたボックス２０を地上面１００へと円滑に降下させることができるようにすると良い。
【００３２】
また、図２と図５に示したように、ボックス２０外方に突出する揺動アーム６４外端には、避難者が手で掴む取手１３０を備えると良い。
そして、避難者がボックス２０に取着された避難者支持帯９０に腰掛ける際や、その避難者支持帯９０に腰掛けた避難者が、ハンドル７０を回転操作する際などに、その揺動アーム６４外端に備えられた取手１３０を手で掴んで、自己の身体をボックス２０に支持できるようにすると良い。そして、避難者が、安定した姿勢で、避難者支持帯９０に腰掛けて、ハンドル７０を回転操作できるようにすると良い。それと共に、避難者が揺動アーム６４外端を下方に押し下げる力を、取手１３０が備えられた揺動アーム６４外端に加えられるようにすると良い。そして、その揺動アーム６４を、引っ張りコイルバネ６６の弾発力に抗して、確実に逆回転させて、その揺動アーム６４内端に付設されたロープ押圧部６２により、ロープ５０外側を回転車１０方向に確実に強く押せるようにすると良い。そして、ロープ５０が回転車１０に対してスリップするのを、確実に防げるようにすると良い。
【００３３】
図１ないし図８に示した避難機器においては、図９ないし図１１に示したように、建物の避難側壁の上下方向にガイド筒１８０が配設されて、そのガイド筒１８０内側にサブロープの他端１５０ｂに付設された重り１７０がサブロープ１５０と共に昇降可能に収容された構造とすると良い。
そして、建物の避難側壁に沿って昇降させる重り１７０やサブロープ１５０を、建物の体裁が損なわれないように、ガイド筒１８０内側に隠すと良い。また、建物の軒先３０から垂下されたサブロープの他端１５０ｂに付設された重り１７０が、風圧などの影響を受けて、建物の避難側壁外部でサブロープ１５０と共に左右に揺れる等して、建物近くを通る通行人などに突き当たる等し、その通行人などが負傷するのを、防ぐと良い。
その際には、サブロープ１５０中途部を建物の軒先３０に支持するサブ支持手段１６０のサブガイド筒の中途部２箇所を、図１１に示したように、所定方向にＬ字状に折曲させて、そのサブガイド筒後端を建物の避難側壁に沿って上下方向に配設されたガイド筒１８０上端に支障なく連結できるようにすると良い。サブガイド筒先端からは、サブロープの一端１５０ａをボックス２０方向に延出させると良い。
【００３４】
図１２ないし図１５は本発明の避難機器の他の好適な実施の形態を示している。以下に、この避難機器を説明する。
【００３５】
この避難機器においては、ボックス２０を建物の軒先３０下方の建物の避難口近くまで引き上げる補助ロープ２００であって、その一端２００ａがボックス２０に固定され、その中途部が補助ロープ支持手段２１０を介して建物の軒先３０に前後に摺動可能に支持され、その他端２００ｂが建物外部の地上面１００に向けて垂下された補助ロープ２００が備えられている。
補助ロープの一端２００ａから他端２００ｂまでの長さは、図１５に示したように、ボックス２０をロープ５０に沿って建物外部の地上面１００又はその近くまで降下させた状態において、その中途部が建物の軒先３０に補助ロープ支持手段２１０を介して支持されて地上面１００に向けて垂下された補助ロープの他端２００ｂが、建物外部の地上面１００又はその近くに位置した状態となるように設定されている。
【００３６】
その他は、図１ないし図７に示した避難機器と同様に構成されていて、この避難機器においては、図１５に示したように、ボックス２０をロープ５０に沿って建物外部の地上面１００又はその近くまで降下させた状態において、その中途部が建物の軒先３０に補助ロープ支持手段２１０を介して支持されて地上面１００に向けて垂下された補助ロープの他端２００ｂが、建物外部の地上面１００又はその近くに位置した状態となる。
そのため、ボックス２０をロープ５０に沿って建物外部の地上面１００又はその近くまで降下させた状態において、その中途部が建物の軒先３０にサブ支持手段１６０を介して支持されたサブロープ１５０やそのサブロープの他端１５０ｂに付設された重り１７０が、建物の避難側壁に存在する様々の障害物に引っ掛かる等してしまい、そのサブロープの他端１５０ｂに付設された重り１７０に加わる重力を受けて、サブロープ１５０により、建物外部の地上面１００又はその近くまで降下させたボックス２０が建物の軒先３０下方の建物の避難口近くまで持ち上げられない状態に陥った際に、その建物外部の地上面１００又はその近くに位置する補助ロープの他端２００ｂを地上面１００に居る避難者救助者が地上面１００方向に引き下ろすことができる。そして、避難者支持帯９０から避難者が地上面１００に降りて軽量となったボックス２０であって、地上面１００又はその近くまでロープ５０に沿って降下させたボックス２０を、サブロープ１５０に代わって、補助ロープ２００により、図１４に示したように、建物の軒先３０下方の建物の避難口近くまで引き上げることができる。
そして、その補助ロープ２００により建物の避難口近くまで引き上げたボックス２０を支持手段１１０に再び支持し直して、そのボックス２０に取着された避難者支持帯９０に建物の避難口から避難しようとする次の避難者が腰掛ける等できる。そして、そのボックス２０が備えられた避難機器を、次の避難者が建物外部の地上面１００へと避難する避難機器に繰り返し再利用できる。
【００３７】
この補助ロープ２００が備えられた避難機器においても、図９ないし図１１に示したように、建物の避難側壁の上下方向にガイド筒１８０を配設して、そのガイド筒１８０内側にサブロープの他端１５０ｂに付設された重り１７０をサブロープ１５０と共に昇降可能に収容しても良い。
【産業上の利用可能性】
【００３８】
本発明の避難機器は、地震や火災などの緊急時に、建物内に居る避難者が、建物の窓、バルコニー、ベランダ等の建物の避難口から、建物外部の地上面へと安全に脱出するための、構造が簡単で操作の容易な汎用性のある避難機器として、広く利用可能である。
【図面の簡単な説明】
【００３９】
【図１】本発明の避難機器の使用状態説明図である。
【図２】本発明の避難機器の正面断面図である。
【図３】本発明の避難機器の側面断面図である。
【図４】本発明の避難機器の平面断面図である。
【図５】本発明の避難機器の正面断面図である。
【図６】本発明の避難機器の使用状態説明図である。
【図７】本発明の避難機器の使用状態説明図である。
【図８】本発明の避難機器の正面断面図である。
【図９】本発明の避難機器の正面図である。
【図１０】本発明の避難機器の正面図である。
【図１１】本発明の避難機器のサブ支持手段とガイド筒の説明図である。
【図１２】本発明の避難機器の正面図である。
【図１３】本発明の避難機器の正面図である。
【図１４】本発明の避難機器の使用状態説明図である。
【図１５】本発明の避難機器の使用状態説明図である。
【符号の説明】
【００４０】
１０  回転車
２０  ボックス
３０  軒先
５０  ロープ
６０  ロープ圧接手段
６１  弾性ブロック
６２  ロープ押圧部
６３  回転ローラ
６４  揺動アーム
６６  引っ張りコイルバネ
７０  ハンドル
８０  回転操作手段
８０ａ、８０ｂ  傘歯車
９０  避難者支持帯
９２  バンド
１００  地上面
１１０  支持手段
１２０  補助重り
１３０  取手
１５０  サブロープ
１６０  サブ支持手段
１７０  重り
１８０  ガイド筒
２００  補助ロープ
２１０  補助ロープ支持手段
【図１】
2008119164.tif 000003
【図２】
2008119164.tif 000004
【図３】
2008119164.tif 000005
【図４】
2008119164.tif 000006
【図５】
2008119164.tif 000007
【図６】
2008119164.tif 000008
【図７】
2008119164.tif 000009
【図８】
2008119164.tif 000010
【図９】
2008119164.tif 000011
【図１０】
2008119164.tif 000012
【図１１】
2008119164.tif 000013
【図１２】
2008119164.tif 000014
【図１３】
2008119164.tif 000015
【図１４】
2008119164.tif 000016
【図１５】
2008119164.tif 000017